(57)【要約】【課題】多量の紙幣を効率的に入金処理することが可能な紙幣処理装置を提供する。【解決手段】紙幣が投入される入金口と、前記入金口の紙幣を搬送する搬送部と、移動することにより前記入金口を開閉可能な入金口開閉部材と、前記搬送部による前記紙幣の搬送と、前記入金口開閉部材の開閉動作とを制御する制御部と、を備え、前記制御部は、前記入金口に投入された紙幣の計数処理の際に前記計数処理の停止事象が発生した場合には、前記計数処理を一時停止し、前記入金口開閉部材を開ける、紙幣処理装置。【選択図】図３
2014035674.tif 000002
【特許請求の範囲】
【請求項１】
紙幣が投入される入金口と、
前記入金口の紙幣を搬送する搬送部と、
移動することにより前記入金口を開閉可能な入金口開閉部材と、
前記搬送部による前記紙幣の搬送と、前記入金口開閉部材の開閉動作とを制御する制御部と、
を備え、
前記制御部は、前記入金口に投入された紙幣の計数処理の際に前記計数処理の停止事象が発生した場合には、前記計数処理を一時停止し、前記入金口開閉部材を開ける、紙幣処理装置。
【請求項２】
請求項１に記載の紙幣処理装置において、
前記計数処理の際に発生するリジェクト紙幣が搬送される出金口と、
移動することにより前記出金口を開閉可能な出金口開閉部材と、
を更に備え、
前記制御部は、前記計数処理の際に前記停止事象が発生した場合には、前記入金口開閉部材と前記出金口開閉部材を開ける、紙幣処理装置。
【請求項３】
請求項２に記載の紙幣処理装置において、
前記制御部は、前記入金口開閉部材と前記出金口開閉部材を同時に開ける、紙幣処理装置。
【請求項４】
請求項１〜３のいずれか１項に記載の紙幣処理装置において、
前記停止事象は、前記制御部が前記計数処理を停止させる要求を受け取る事象である、紙幣処理装置。
【請求項５】
請求項１〜４のいずれか１項に記載の紙幣処理装置において、
前記計数処理の際に前記紙幣を鑑別する紙幣鑑別部と、
前記紙幣鑑別部により鑑別されたリジェクト紙幣が搬送される出金口と、
移動することにより前記出金口を開閉可能な出金口開閉部材と、
を更に備え、
前記停止事象は、前記リジェクト紙幣が前記出金口に搬送される事象である、前記計数処理を一時停止する、紙幣処理装置。
【請求項６】
請求項１に記載の紙幣処理装置において、
前記計数処理の際に前記紙幣を鑑別する紙幣鑑別部と、
前記紙幣鑑別部により鑑別されたリジェクト紙幣が搬送される第１出金口及び第２出金口と、
を更に備え、
前記制御部は、前記計数処理の際に、前記リジェクト紙幣を前記第１出金口と前記第２出金口に交互に搬送する、紙幣処理装置。
【請求項７】
請求項６に記載の紙幣処理装置において、
前記制御部は、リジェクトの発生を検出する度に、前記リジェクト紙幣の搬送先を前記第１出金口と前記第２出金口との間で切り替える、紙幣処理装置。
【請求項８】
請求項１〜７のいずれか１項に記載の紙幣処理装置において、
前記計数処理の際に前記紙幣を鑑別する紙幣鑑別部と、
前記入金口から搬送された紙幣が一時的に集積される一時集積部と、
を更に備え、
前記停止事象は、
前記制御部が前記計数処理の停止要求を受け取る事象、前記入金口から紙幣が全て搬送された事象、前記紙幣鑑別部により鑑別されたリジェクト紙幣を搬送できない事象、前記一時集積部にリジェクト紙幣が所定枚数集積された事象の何れかである、紙幣処理装置。
【請求項９】
紙幣が投入される入金口と、
前記入金口の紙幣を搬送する搬送部と、
前記紙幣が搬送されて収納される収納部と、
移動することにより前記入金口を開閉可能な入金口開閉部材と、
前記入金口開閉部材をロック可能なロック機構と、
前記搬送部による前記紙幣の搬送と、前記入金口開閉部材の開閉動作と、前記ロック機構の動作とを制御する制御部と、
を備え、
前記制御部は、前記入金口の紙幣を前記収納部に搬送する際に、閉状態にある前記入金口開閉部材のロック状態を解除する、紙幣処理装置。
【請求項１０】
請求項９に記載の紙幣処理装置であって、
入金処理の際に前記入金口から搬送された紙幣が一時的に集積される一時集積部を更に備え、
前記制御部は、前記一時集積部に集積された紙幣を前記収納部に搬送する際に、閉状態にある前記入金口開閉部材のロック状態を解除する、紙幣処理装置。
【請求項１１】
入金口に投入された紙幣の搬送と、前記入金口を開閉可能な入金口開閉部材の開閉動作とを制御する紙幣処理方法であって、
前記入金口の紙幣を搬送して計数処理を実行するステップと、
前記計数処理の際に前記計数処理の停止事象が発生した場合には、前記計数処理を一時停止し、前記入金口開閉部材を開けるステップと、
を有する紙幣処理方法。
【発明の詳細な説明】
【技術分野】
【０００１】
本発明は、紙幣処理装置、及び紙幣処理方法に関する。
【背景技術】
【０００２】
金融機関の営業店カウンタ等に、窓口用現金処理機に代表される現金処理装置が設置されている。現金処理装置は、紙幣や硬貨の入金取引や出金取引等に利用される。職員は、例えば、現金処理装置の操作部、又は現金処理装置に接続された受付端末から操作を行うことにより、入金取引や出金取引を行うことができる。
【０００３】
下記の特許文献１には、紙幣入金口に投入された紙幣を一時保留部に一時保留した後にスタッカに収納する入金処理と、スタッカに収納された紙幣を分離して紙幣出金口に搬送する出金処理とを行う現金処理装置が開示されている。
【先行技術文献】
【特許文献】
【０００４】
【特許文献１】特開２００１−９３０２２号公報
【発明の概要】
【発明が解決しようとする課題】
【０００５】
ところで、上記の入金処理において、多量の紙幣を入金する場合がある。しかし、紙幣入金口に一度に投入できる紙幣の枚数には、限りがある。また、入金処理において紙幣が搬送される際には、紙幣入金口を入金口開閉部材が閉じているため、紙幣を追加投入できなかった。このため、多量の紙幣の入金処理に長い時間を要する恐れがある。
【０００６】
そこで、本発明は、上記問題に鑑みてなされたものであり、本発明の目的とするところは、多量の紙幣を効率的に入金処理することが可能な、新規かつ改良された紙幣処理装置を提供することにある。
【課題を解決するための手段】
【０００７】
上記課題を解決するために、本発明のある観点によれば、紙幣が投入される入金口と、前記入金口の紙幣を搬送する搬送部と、移動することにより前記入金口を開閉可能な入金口開閉部材と、前記搬送部による前記紙幣の搬送と、前記入金口開閉部材の開閉動作とを制御する制御部と、を備え、前記制御部は、前記入金口に投入された紙幣の計数処理の際に前記計数処理の停止事象が発生した場合には、前記計数処理を一時停止し、前記入金口開閉部材を開ける、紙幣処理装置が提供される。
【０００８】
かかる紙幣処理装置によれば、制御部は、入金口に投入された紙幣の計数処理の際に計数処理の停止事象が発生した場合には、計数処理を一時停止し、入金口開閉部材を開ける。これにより、入金口開閉部材が開いているので、職員は、計数処理の一時停止中に入金口に紙幣を投入できる。この結果、入金口に投入された紙幣が全て計数処理される前に入金口に紙幣を追加投入できるので、多量の紙幣を効率的に入金処理することができる。
【０００９】
また、上記の紙幣処理装置において、前記計数処理の際に発生するリジェクト紙幣が搬送される出金口と、移動することにより前記出金口を開閉可能な出金口開閉部材と、を更に備え、前記制御部は、前記計数処理の際に前記停止事象が発生した場合には、前記入金口開閉部材と前記出金口開閉部材を開けることとしても良い。
【００１０】
また、上記の紙幣処理装置において、前記制御部は、前記入金口開閉部材と前記出金口開閉部材を同時に開けることとしても良い。
【００１１】
また、上記の紙幣処理装置において、前記停止事象は、前記制御部が前記計数処理を停止させる要求を受け取る事象であることとしても良い。
【００１２】
また、上記の紙幣処理装置において、前記計数処理の際に前記紙幣を鑑別する紙幣鑑別部と、前記紙幣鑑別部により鑑別されたリジェクト紙幣が搬送される出金口と、移動することにより前記出金口を開閉可能な出金口開閉部材と、を更に備え、前記停止事象は、前記リジェクト紙幣が前記出金口に搬送される事象である、前記計数処理を一時停止することとしても良い。
【００１３】
また、上記の紙幣処理装置において、前記計数処理の際に前記紙幣を鑑別する紙幣鑑別部と、前記紙幣鑑別部により鑑別されたリジェクト紙幣が搬送される第１出金口及び第２出金口と、を更に備え、前記制御部は、前記計数処理の際に、前記リジェクト紙幣を前記第１出金口と前記第２出金口に交互に搬送することとしても良い。
【００１４】
また、上記の紙幣処理装置において、前記制御部は、リジェクトの発生を検出する度に、前記リジェクト紙幣の搬送先を前記第１出金口と前記第２出金口との間で切り替えることとしても良い。
【００１５】
また、上記の紙幣処理装置において、前記計数処理の際に前記紙幣を鑑別する紙幣鑑別部と、前記入金口から搬送された紙幣が一時的に集積される一時集積部と、を更に備え、前記停止事象は、前記制御部が前記計数処理の停止要求を受け取る事象、前記入金口から紙幣が全て搬送された事象、前記紙幣鑑別部により鑑別されたリジェクト紙幣を搬送できない事象、前記一時集積部にリジェクト紙幣が所定枚数集積された事象の何れかであることとしても良い。
【００１６】
また、上記課題を解決するために、本発明の別の観点によれば、紙幣が投入される入金口と、前記入金口の紙幣を搬送する搬送部と、前記紙幣が搬送されて収納される収納部と、移動することにより前記入金口を開閉可能な入金口開閉部材と、前記入金口開閉部材をロック可能なロック機構と、前記搬送部による前記紙幣の搬送と、前記入金口開閉部材の開閉動作と、前記ロック機構の動作とを制御する制御部と、を備え、前記制御部は、前記入金口の紙幣を前記収納部に搬送する際に、閉状態にある前記入金口開閉部材のロック状態を解除する、紙幣処理装置が提供される。
【００１７】
また、上記の紙幣処理装置において、入金処理の際に前記入金口から搬送された紙幣が一時的に集積される一時集積部を更に備え、前記制御部は、前記一時集積部に集積された紙幣を前記収納部に搬送する際に、閉状態にある前記入金口開閉部材のロック状態を解除することとしても良い。
【００１８】
また、上記課題を解決するために、本発明の別の観点によれば、入金口に投入された紙幣の搬送と、前記入金口を開閉可能な入金口開閉部材の開閉動作とを制御する紙幣処理方法であって、前記入金口の紙幣を搬送して計数処理を実行するステップと、前記計数処理の際に前記計数処理の停止事象が発生した場合には、前記計数処理を一時停止し、前記入金口開閉部材を開けるステップと、を有する紙幣処理方法が提供される。
【発明の効果】
【００１９】
以上説明したように本発明によれば、多量の紙幣を効率的に入金処理することが可能となる。
【図面の簡単な説明】
【００２０】
【図１】第１の実施形態に係る紙幣処理装置１０の内部構成例を示す図である。
【図２】入金口シャッタ１３と出金口シャッタ１９の構成例を示す模式図である。
【図３】紙幣処理装置１０の機能構成例を示すブロック図である。
【図４】第１の実施形態に係る入金処理例を示すフローチャートである。
【図５】第１の実施形態に係る入金処理例を示すフローチャートである。
【図６】第１の実施形態に係る入金処理例を示すフローチャートである。
【図７】第１の実施形態に係る入金処理例を示すフローチャートである。
【図８】第２の実施形態に係る入金処理例を示すフローチャートである。
【図９】第３の実施形態に係る紙幣処理装置１０の内部構成例を示す図である。
【図１０】第１シャッタ１６及び第２シャッタ１７の構成例を示す模式図である。
【図１１】第３の実施形態に係る入金処理例を示すフローチャートである。
【図１２】第３の実施形態に係る入金処理例を示すフローチャートである。
【図１３】第３の実施形態に係る入金処理例を示すフローチャートである。
【図１４】第３の実施形態に係る入金処理例を示すフローチャートである。
【図１５】第３の実施形態に係る入金紙幣の計数処理例を示すフローチャートである。
【図１６】第４の実施形態に係る紙幣処理装置１０の機能構成例を示すブロック図である。
【図１７】第４の実施形態に係る入金処理例を示すフローチャートである。
【図１８】第４の実施形態に係る入金処理例を示すフローチャートである。
【図１９】第４の実施形態に係る入金処理例を示すフローチャートである。
【図２０】第４の実施形態に係る入金処理例を示すフローチャートである。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
＜１．第１の実施形態＞
（１−１．紙幣処理装置の内部構成例）
図１を参照しながら、第１の実施形態に係る紙幣処理装置１０の内部構成例について説明する。
【００２３】
図１は、第１の実施形態に係る紙幣処理装置１０の内部構成例を示す図である。紙幣処理装置１０は、金融機関の営業店等に設置されている。紙幣処置装置１０は、装置の操作者である金融機関の受付窓口員等の職員による操作に基づいて、紙幣の取引を行う職員操作型端末である。
【００２４】
紙幣処理装置１０は、図１に示すように、入金口１２と、出金口１８と、紙幣鑑別部の一例である紙幣認識部２０と、一時集積部の一例である一時保留部２２と、搬送部２４と、収納部の一例である紙幣カセット３０Ａ〜３０Ｄと、リジェクト庫付き紙幣カセット３５と、表示部４０とを有する。
【００２５】
入金口１２は、職員が紙幣を投入する投入口である。また、入金口１２は、束で投入された紙幣を一枚ずつ分離して繰り出す分離機能を有する。なお、図２に示すように、入金口１２には、開口部を開閉する入金口シャッタ１３が設けられている。
【００２６】
出金口１８は、職員が受け取る紙幣が排出（出金）される排出口である。出金口１８は、排出する紙幣を集積する集積機能を有する。出金口１８は、一例として、紙幣を１００枚（最大集積枚数）集積できる容量を有する。なお、図２に示すように、出金口１８には、開口部を開閉する出金口シャッタ１９が設けられている。
【００２７】
図２は、入金口シャッタ１３と出金口シャッタ１９の構成例を示す模式図である。図２（ａ）には、入金口シャッタ１３及び出金口シャッタ１９が閉じた状態が示され、図２（ｂ）には、入金口シャッタ１３及び出金口シャッタ１９が開いた状態が示されている。入金口シャッタ１３及び出金口シャッタ１９は、移動することにより入金口１２と出金口１８を閉じる。なお、入金口１２から紙幣が搬送される際には、入金口シャッタ１３は閉じており、出金口１８に紙幣が搬送される際には、出金口シャッタ１９が閉じている。なお、図２では、平面状の入金口シャッタ１３及び出金口シャッタ１９をスライドさせて開閉させているが、曲面状のシャッタを回動させて開閉されても良い。
【００２８】
紙幣認識部２０は、１枚ずつ通過していく紙幣の鑑別を行う。紙幣の進行方向は双方向に対応しており、紙幣認識部２０は、入金口１２側の方向から搬送される紙幣、およびその逆方向から搬送される紙幣の鑑別を行うことができる。具体的には、紙幣認識部２０は、搬送路を通って搬送された紙幣の金種、真偽（真券／偽券）、正損（正券／損券）および走行状態（正常／異常）などを鑑別し、通過する紙幣に対して、正常判定またはリジェクト判定を行う。
【００２９】
ここで、本明細書において真券とは紙幣と鑑別されたものをいい、偽券とは紙幣と鑑別されなかったものをいう。また、正券とは真券と鑑別された紙幣のうち入金／出金に適すると鑑別されたものをいい、損券とは真券と鑑別された紙幣のうち入金／出金に適さないと鑑別されたものをいう。また、リジェクト判定は、偽券、損券（汚損、損壊、外形異常等）、走行異常（スキュー紙幣、重走等）といった要因に基づいて行われる。また、リジェクト紙幣には、出金紙幣として取り扱えない紙幣（例えば二千円札や五千円札）を含んでもよいし、外国紙幣を含んでもよい。
【００３０】
一時保留部２２は、紙幣の分離と集積の両方の機能を有する。例えば、一時保留部２２は、入金取引時に入金口１２から分離されて紙幣認識部２０により正常と鑑別された紙幣を一時的に集積する。一時保留部２２に集積された紙幣は、入金した紙幣の口座計上などが確定したなど、取引が成立した場合に繰り出され、紙幣認識部２０を経て紙幣カセット３０Ａ〜３０Ｄなどに搬送される。なお、一時保留部２２は、紙幣を順次重ねて集積する集積式であってもよいし、紙幣を順次巻いて収納するドラム式であってもよい。
【００３１】
搬送部２４は、搬送路、紙幣を搬送する搬送ローラ、および搬送ローラを駆動する駆動機構を含み、紙幣を一枚ずつ搬送する。駆動機構は、例えばＤＣサーボモータまたはパルスモータなどが回転することにより、搬送ローラを駆動する。搬送部２４は、後述する制御部により制御され、紙幣を目的の搬送先に搬送する。
【００３２】
紙幣カセット３０Ａ〜３０Ｄは、紙幣を金種毎に収納可能な紙幣収納部であって、紙幣の集積および分離の両方の機能を有する。また、紙幣カセット３０Ａ〜３０Ｄは、同一金種のための複数の紙幣カセットを含んでもよい。例えば、紙幣カセット３０Ａおよび３０Ｃが一万円札用の紙幣カセットであり、紙幣カセット３０Ｂおよび３０Ｄが千円札用の紙幣カセットであってもよい。また、紙幣カセット３０Ａ〜３０Ｄは、紙幣処理装置１０に対して着脱可能な構造になっており、個別に交換することで紙幣カセット３０Ａ〜３０Ｄに紙幣を装填することも可能である。
【００３３】
リジェクト庫付き紙幣カセット３５（以下、紙幣カセット３５とも称す）は、紙幣処理装置１０に対して着脱可能な構造になっており、個別に交換することで、紙幣の回収および補充が可能である。また、紙幣カセット３５は、上側に紙幣収納庫３６、下側（底部）にリジェクト庫３７を備える。
【００３４】
紙幣収納庫３６は、紙幣を集積する集積機能および１枚ずつ繰り出す分離機能を有する。また、紙幣収納庫３６は、カセット計数回収時に各紙幣カセット３０Ａ〜３０Ｄから分離された紙幣を集積し、紙幣を回収することができる。また、紙幣収納庫３６は、カセット計数補充に、紙幣収納庫３６内に集積している紙幣を繰り出し、紙幣カセット３０Ａ〜３０Ｄに紙幣を補充することができる。
【００３５】
リジェクト庫３７は、紙幣を集積する集積機能のみ有する。リジェクト庫３７は、紙幣認識部２０によって異常と鑑別（リジェクト判定）された紙幣（リジェクト紙幣）を集積するための紙幣収納部である。
【００３６】
表示部４０は、メニュー画面や処理結果画面を表示する。表示部４０は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。
【００３７】
また、紙幣処理装置１０は、職員が操作可能な操作部（不図示）を有する。紙幣処理装置１０は、職員が操作部を操作することにより、入金や出金の取引に対応する入金処理や出金処理等を行う。なお、紙幣処理装置１０は、操作部の代わりに、紙幣処理装置１０に接続された受付端末における職員の操作に基づいて、処理を行なっても良い。
【００３８】
（１−２．紙幣処理装置の基本処理）
紙幣処置装置１０は、基本処理として、例えば入金処理、出金処理、補充処理、回収処理を行う。以下では、図１を参照しながら処理毎に説明する。
【００３９】
（入金処理）
入金処理は、入金口１２の紙幣を紙幣処理装置１０の内部に集積する処理である。紙幣処理装置１０は、入金処理として、例えば、入金紙幣を一時保留部２２へ退避させた後に一時保留部２２から紙幣カセット３０Ａ〜３０Ｄに集積する通常入金処理と、入金紙幣を一時保留部２２へ退避させないで直接紙幣カセット３０Ａ〜３０Ｄに集積するダイレクト入金処理とを行う。なお、紙幣処理装置１０は、設定により通常入金処理又はダイレクト入金処理を選択することができる。
【００４０】
まず、通常入金処理について説明する。通常入金処理においては、まず、入金口１２に投入された紙幣が一枚ずつ分離して繰り出され、繰り出された紙幣は、搬送部２４により紙幣認識部２０に搬送される。次に、紙幣認識部２０が紙幣の鑑別を行い、鑑別結果が正常であった紙幣は、一時保留部２２へ搬送されて集積される。その後、入金金額が確定すると、集積処理に移行する。
【００４１】
一方で、紙幣認識部２０による鑑別結果が異常であった紙幣（リジェクト紙幣）は、出金口１８に集積される。出金口１８に集積された紙幣は、職員により入金口１２に再投入されることで、紙幣認識部２０による再鑑別が可能である。なお、以下において、紙幣認識部２０により紙幣を鑑別し、鑑別結果に基づき搬送先に紙幣を搬送する処理を計数処理とも呼ぶ。
【００４２】
集積処理においては、まず、一時保留部２２から紙幣が１枚ずつ分離され、分離された紙幣が紙幣認識部２０に搬送される。次に、紙幣認識部２０による鑑別結果が正常であった紙幣は、金種に対応する紙幣カセット３０Ａ〜３０Ｄに集積される。一方で、汚損券、折れ紙幣、スキュー紙幣などの走行異常紙幣のように、紙幣認識部２０による鑑別結果が異常であった紙幣は、紙幣カセット３５のリジェクト庫３７に集積される。
【００４３】
一方で、入金金額の確定前に入金紙幣の返却（キャンセル）が指示されると、返却処理に移行する。返却処理においては、まず、一時保留部２２から紙幣が１枚ずつ分離され、分離された紙幣が紙幣認識部２０に搬送される。そして、紙幣認識部２０による鑑別結果が正常／異常いずれであっても、全ての紙幣を出金口１８へ集積する。
【００４４】
次に、ダイレクト入金処理について説明する。入金口１２に投入された紙幣は、通常入金処理と同様に、紙幣認識部２０により鑑別される。そして、鑑別結果が正常であった紙幣は、金種に対応する紙幣カセット３０Ａ〜３０Ｄに集積される。一方で、鑑別結果が異常であった紙幣（リジェクト紙幣）は、出金口１８に集積される。出金口１８に集積された紙幣は、職員により入金口１２に再投入されることで、紙幣認識部２０による再鑑別が可能である。
【００４５】
（出金処理）
出金処理は、紙幣カセット３０Ａ〜３０Ｄの紙幣を出金口１８に集積する処理である。
【００４６】
出金処理においては、まず、指定された金額に応じて紙幣カセット３０Ａ〜３０Ｄから紙幣が１枚ずつ分離して繰り出され、繰り出された紙幣は、搬送部２４により紙幣認識部２０に搬送される。次に、紙幣認識部２０が紙幣の鑑別を行い、鑑別結果が正常であった紙幣は、出金口１８に集積される。具体的には、例えば出金する正常紙幣の金種や枚数に応じて、出金口１８に集積（集金）される。一方で、鑑別結果が異常であった紙幣、すなわち、顧客に支払いできない紙幣は、紙幣カセット３５のリジェクト庫３７に集積される。
【００４７】
（補充処理）
補充処理は、紙幣処理装置１０に紙幣を補充する処理である。紙幣処理装置１０においては、具体的な補充方法として、入金口補充、カセット交換補充、およびカセット計数補充が可能である。以下、各補充方法について説明する。
【００４８】
入金口補充は、上述した入金処理における動作と同様である。例えば、入金口１２から繰り出され、紙幣認識部２０による鑑別結果が正常であった紙幣は、一時保留部２２に退避された後、金種に対応する紙幣カセット３０Ａ〜３０Ｄに集積される。一方で、鑑別結果が異常であった紙幣は、出金口１８に集積される。
【００４９】
カセット交換補充は、紙幣カセット３０Ａ〜３０Ｄが着脱可能であることを利用するものであり、予め紙幣を装填した紙幣カセットを、既に装着された紙幣カセット３０Ａ〜３０Ｄのいずれかと交換することで、紙幣を補充する。なお、カセット交換補充では、補充した紙幣の金種と枚数をオペレータがマニュアルで登録する必要がある。
【００５０】
カセット計数補充においては、まず、紙幣カセット３５の紙幣収納庫３６に予め紙幣を装填し、紙幣処理装置１０にセットする。次に、紙幣収納庫３６から繰り出され、紙幣認識部２０による鑑別結果が正常であった紙幣は、金種に対応する紙幣カセット３０Ａ〜３０Ｄに集積される。一方で、鑑別結果が異常であった紙幣は、リジェクト庫３７に集積される。なお、カセット計数補充では、紙幣認識部２０により計数処理が実行されるので、補充した紙幣の金種および枚数をオペレータがマニュアルで登録する必要はない。
【００５１】
（回収処理）
回収処理は、紙幣処理装置１０内の紙幣を回収する処理である。紙幣処理装置１０においては、具体的な回収方法として、出金口回収、カセット交換回収、およびカセット計数回収が可能である。以下、各回収方法について説明する。
【００５２】
出金口回収は、上述した出金処理における動作と同様である。例えば、回収対象の紙幣カセット３０Ａ〜３０Ｄから繰り出され、紙幣認識部２０による鑑別結果が正常であった紙幣は、出金口１８に集積される。一方で、鑑別結果が異常であった紙幣は、リジェクト庫３７に集積される。そして、回収対象の紙幣カセット３０Ａ〜３０Ｄに集積された全紙幣に対して行い、職員は、出金口１８から、正常判定された紙幣を回収することができる。また、職員は、リジェクト庫３７から異常判定された紙幣を回収することができる。
【００５３】
カセット交換回収は、紙幣カセット３０Ａ〜３０Ｄのうちの所定の紙幣カセットを紙幣処理装置１０から取り外すことで、紙幣の回収を行う。なお、カセット交換回収では、オペレータが、取り外した紙幣カセット３０Ａ〜３０Ｄから紙幣を抜き取り、回収した紙幣の金種と枚数をマニュアルで数える必要がある。
【００５４】
カセット計数回収においては、紙幣カセット３０Ａ〜３０Ｄのうち回収対象の紙幣カセットから繰り出され、紙幣認識部２０による鑑別結果が正常であった紙幣は、紙幣カセット３５の紙幣収納庫３６に集積される。一方で、鑑別結果が異常であった紙幣は、リジェクト庫３７に集積される。その後、職員が紙幣カセット３５のみを紙幣処理装置１０から取り外すことで、正常判定された紙幣および異常判定された紙幣を回収することができる。また、カセット計数回収では、紙幣認識部２０により計数処理が実行されるので、回収した紙幣の金種および枚数をオペレータがマニュアルで数える必要はない。
【００５５】
（１−３．多量の紙幣を入金する際の問題点）
次に、多量の紙幣を入金する際の問題点について、比較例を用いて説明する。
【００５６】
比較例に係る紙幣処理装置では、入金口に投入された紙幣を入金処理する際に、入金口シャッタが閉じており、入金口に紙幣を追加投入することができない。また、入金処理の際に出金口にリジェクト紙幣が集積されるが、入金処理の際にリジェクト紙幣を抜き取ることができない。すなわち、入金口に投入された紙幣の計数処理（入金処理に含まれる）が完了するまで、紙幣の追加投入や、リジェクト紙幣の抜き取りができない。このため、多量の紙幣を入金する際に長い時間を要することになる。
【００５７】
また、比較例に係る紙幣処理装置では、リジェクト紙幣を入金口に再投入する際にも、以下の問題点が発生しうる。すなわち、計数処理の完了後、出金口にリジェクト紙幣が集積されている場合、出金口シャッタが開き、職員が出金口のリジェクト紙幣を抜き取った後に、入金口シャッタが開く。このため、出金口から抜き取ったリジェクト紙幣を入金口に再投入するときに、入金口シャッタが開くのを待つ必要があった。
【００５８】
これに対して、第１の実施形態に係る紙幣処理装置１０では、詳細は後述するが、入金口１２に投入された紙幣の計数処理の際に計数処理の停止事象が発生した場合には、計数処理を一時停止し、入金口シャッタ１３を開ける。これにより、職員は、計数処理の停止中に入金口１２に紙幣を投入できる。別言すれば、職員は、入金口１２に投入された紙幣の計数処理が全て完了する前に入金口１２に紙幣を追加投入できるので、多量の紙幣を効率的に入金処理することができる。
【００５９】
また、第１の実施形態では、計数処理の際に停止事象が発生した場合には、入金口シャッタ１３と出金口シャッタ１９を開ける。これにより、職員は、計数処理の停止中に出金口１８に集積されたリジェクト紙幣を抜き取ることができる。この結果、計数処理の停止中にリジェクト紙幣を入金口１２に再投入することができるので、効率的に入金処理を行うことができる。
【００６０】
（１−４．紙幣処理装置の機能構成例）
図３を参照しながら、紙幣処理装置１０の機能構成例について説明する。図３は、紙幣処理装置１０の機能構成例を示すブロック図である。図３に示すように、紙幣処理装置１０は、制御部７０と、記憶部８０と、検知部８２とを備える。
【００６１】
制御部７０は、紙幣処理装置１０の動作全般を制御する。具体的には、制御部７０は、上述した入金処理、出金処理、補充処理、回収処理等の基本処理を制御する。例えば、制御部７０は、搬送部２４による紙幣の搬送と、入金口シャッタ１３及び出金口シャッタ１９の開閉動作とを制御する。
【００６２】
ところで、第１の実施形態において、制御部７０は、多量の紙幣を入金処理する際に、入金口シャッタ１３及び出金口シャッタ１９を以下のように制御する。
【００６３】
制御部７０は、入金口１２に投入された紙幣の計数処理の際に、計数処理の停止事象が発生した場合には、計数処理を一時停止し、入金口シャッタ１３を開ける。これにより、職員は、入金口１２に投入された紙幣の計数処理が全て完了する前に入金口１２に紙幣を追加投入できるので、多量の紙幣を効率的に入金処理することができる。
【００６４】
ここで、計数処理の停止事象は、前記制御部が前記計数処理を停止させる要求を受け取る事象である。かかる場合には、職員が、意図的に計数処理を停止させて、入金口１２に紙幣を追加投入できる。
【００６５】
なお、計数処理の停止事象は、上記に限定されない。例えば、計数処理の停止事象は、制御部７０が計数処理の停止要求を受け取る事象、入金口１２から紙幣が全て搬送された事象、紙幣認識部２０により鑑別されたリジェクト紙幣を搬送できない事象、一時保留部２２にリジェクト紙幣が所定枚数集積された事象の何れかであっても良い。これにより、様々な要因で計数処理が停止した際に、入金口１２に紙幣を追加投入できる。
【００６６】
また、制御部７０は、計数処理の際に停止事象が発生した場合には、入金口シャッタ１３と出金口シャッタ１９を開けても良い。これにより、職員は、計数処理の停止中に、リジェクト紙幣を抜き取ることができる。また、職員は、抜き取ったリジェクト紙幣を入金口１２に再投入することができるので、多量の紙幣を効率的に入金処理できる。
【００６７】
また、制御部７０は、入金口シャッタ１３と出金口シャッタ１９を同時に開けても良い。これにより、出金口１８に集積されたリジェクト紙幣を入金口１２に迅速に再投入することができる。なお、制御部７０は、出金口シャッタ１９を開けた後に入金口シャッタ１３を開けても良い。
【００６８】
記憶部８０は、紙幣処理装置１０が動作するためのプログラム等を記憶する。また、記憶部８０は、紙幣認識部２０の鑑別結果を記憶しうる。
【００６９】
検知部８２は、例えば光学センサ等を有し、様々な状態を検知する。例えば、検知部８２は、入金口１２や出金口１８の紙幣の集積状態（集積枚数や、紙幣が抜き取られたか否か）を検知する。また、検知部８２は、紙幣の搬送状態を検知しうる。
【００７０】
なお、上述した制御部７０、および記憶部８０の機能は、ＣＰＵ（Ｃｅｎｔｒａｌ Ｐｒｏｃｅｓｓｉｎｇ
Ｕｎｉｔ）、ＲＯＭ（Ｒｅａｄ Ｏｎｌｙ Ｍｅｍｏｒｙ）、およびＲＡＭ（Ｒａｎｄｏｍ
Ａｃｃｅｓｓ Ｍｅｍｏｒｙ）等から成るハードウェア構成により実現してもよい。ＣＰＵは、演算機能および制御機能を有し、各種プログラムに従って紙幣処理装置１０の動作全般を制御する。ＲＯＭは、ＣＰＵが使用するプログラムや演算パラメータ等を記憶する。ＲＡＭは、ＣＰＵの実行において使用するプログラムや、その実行において適宜変化するパラメータ等を一時記憶する。
【００７１】
（１−５．入金処理例）
図４〜図７を参照しながら、第１の実施形態に係る入金処理例について説明する。図４〜図７は、第１の実施形態に係る入金処理例を示すフローチャートである。以下に説明する入金処理は、入金紙幣を一時保留部２２へ退避させた後に、一時保留部２２から紙幣カセット３０Ａ〜３０Ｄに集積する通常入金処理である。
【００７２】
図４のフローチャートは、例えば制御部７０のＣＰＵが、ＲＯＭに記憶されているプログラムを実行することにより、実現される。なお、実行されるプログラムは、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、メモリカード等の記録媒体に記憶されても良く、インターネットを介してサーバ等からダウンロードされても良い。
【００７３】
図４のフローチャートは、入金処理のアイドル状態、すなわち入金口シャッタ１３、及び出金口シャッタ１９が閉じている状態から開始される（ステップＳ１００）。そして、職員が、紙幣処理装置１０の操作部又は紙幣処理装置１０に接続された受付端末を操作して、入金取引を選択すると、制御部７０は、選択された入金取引の指示を受け付ける（ステップＳ１０２）。
【００７４】
次に、制御部７０は、職員が入金口１２に紙幣を投入できるように、入金口シャッタ１３を開ける（ステップＳ１０４）。そして、制御部７０は、入金口シャッタ１３が開いており、かつ出金口シャッタ１９が閉じている、紙幣投入待ち状態を維持する（ステップＳ１０６）。この紙幣投入待ち状態で、職員は、入金口１２に紙幣を投入できる。
【００７５】
その後、入金口１２に紙幣が投入されたことを検知すると（ステップＳ１０８：Ｙｅｓ）、制御部７０は、入金口シャッタ１３を閉じる（ステップＳ１１０）。次に、制御部７０は、入金紙幣の計数処理を行う（ステップＳ１１２）。すなわち、制御部７０は、入金口１２から繰り出された紙幣を紙幣認識部２０で鑑別し、鑑別結果に基づき搬送先に紙幣を搬送する。
【００７６】
ところで、紙幣処理装置１０においては、職員が、実行中の計数処理を一時停止させることができ、また一時停止後に計数処理を再開させることができる。具体的には、職員は、紙幣処理装置１０の操作部又は紙幣処理装置１０に接続された受付端末を操作する（例えば、ボタンを押下する）ことで、計数処理を一時停止又は再開させる。なお、計数処理が一時停止する要因は、職員による計数処理停止要求の場合に限られない。例えば、入金口１２に投入された紙幣が全て搬送された場合（入金口Ｅｍｐｔｙ）や、リジェクト紙幣の搬送ができない場合（リジェクト紙幣搬送不可）や、一時保留部２２への紙幣の搬送ができない場合（一時保留部搬送不可）にも、計数処理が一時停止する要因となる。
【００７７】
そして、制御部７０は、上記の何れかの要因により計数処理が一時停止したことを検知すると（ステップＳ１１４：Ｙｅｓ）、入金口シャッタ１３と出金口シャッタ１９の動作を並行して処理する。すなわち、制御部７０は、入金口シャッタ１３を開ける（ステップＳ１１６）。また、制御部７０は、出金口１８にリジェクト紙幣が集積されているか否かを判定し（ステップＳ１１８）、ステップＳ１１８で出金口１８にリジェクト紙幣が集積されていると（Ｙｅｓ）、出金口シャッタ１９を開ける（ステップＳ１２０）。この際、制御部７０は、入金口シャッタ１３と出金口シャッタ１９を同時に開ける。
【００７８】
一方で、ステップＳ１１８で出金口１８にリジェクト紙幣が集積されていないと（Ｎｏ）、制御部７０は、出金口シャッタ１９を開けない。なお、上記では、入金口シャッタ１３と出金口シャッタ１９を同時に開けるとしたが、これに限定されず、制御部７０は、入金口シャッタ１３と出金口シャッタ１９のいずれか一方を先に開けても良い。
【００７９】
このように入金口シャッタ１３と出金口シャッタ１９の両方を開けることにより、例えば、職員は、出金口１８に集積されたリジェクト紙幣を入金口１２に再投入できる。この結果、リジェクト紙幣の再鑑別を迅速に行える。
【００８０】
次に、制御部７０は、計数処理が一時停止した要因を判定する（ステップＳ１２２）。すなわち、制御部７０は、停止要因が、計数処理停止要求、入金口Ｅｍｐｔｙ、リジェクト紙幣搬送不可、及び一時保留部搬送不可のうちのいずれに該当するかを判定する。そして、制御部７０は、以下に説明するように、停止要因に応じた処理を行う。
【００８１】
（停止要因：入金口Ｅｍｐｔｙ）
ステップＳ１２２における計数処理の停止要因が入金口Ｅｍｐｔｙである場合の処理について、図５のフローチャートを参照しながら説明する。
【００８２】
図５のフローチャートで、制御部７０は、まず、出金口１８にリジェクト紙幣が集積されているか否かを判定する（ステップＳ１３２）。ステップＳ１３２で出金口１８にリジェクト紙幣が集積されていると（Ｙｅｓ）、制御部７０は、入金口シャッタ１３及び出金口シャッタ１９が開いている、リジェクト紙幣抜取り待ち状態を維持する（ステップＳ１３４）。このリジェクト紙幣抜取り待ち状態で、職員が、リジェクト紙幣を出金口１８から抜き取ることになる。また、職員は、リジェクト紙幣抜取り待ち状態で、入金口１２に紙幣を追加投入できる。
【００８３】
その後、制御部７０は、出金口１８からリジェクト紙幣が抜き取られたのを検知すると（ステップＳ１３６）、出金口シャッタ１９を閉める（ステップＳ１３８）。そして、制御部７０は、入金口シャッタ１３のみが開いている、紙幣投入待ち状態を維持する（ステップＳ１４０）。この紙幣投入待ち状態で、職員は、入金口１２に紙幣（例えば、出金口１８から抜き取ったリジェクト紙幣等）を追加投入できる。なお、ステップＳ１３２で出金口１８にリジェクト紙幣が集積されていない場合も（Ｎｏ）、制御部７０は、紙幣投入待ち状態を維持する（ステップＳ１４０）。
【００８４】
その後、制御部７０は、入金口１２に紙幣が投入されたことを検知すると（ステップＳ１４２：Ｙｅｓ）、図４のフローチャートに戻って入金口シャッタ１３を閉める（ステップＳ１１０）。そして、制御部７０は、再び計数処理を行う（ステップＳ１１２）。
【００８５】
（停止要因：計数処理停止要求、又はリジェクト紙幣搬送不可）
ステップＳ１２２における計数処理の停止要因が、計数処理停止要求、又はリジェクト紙幣搬送不可である場合の処理について、図６のフローチャートを参照しながら説明する。
【００８６】
図６のフローチャートで、制御部７０は、入金口１２に紙幣が集積されているか否かを判定する（ステップＳ１５２）。ステップＳ１５２で入金口１２に紙幣が集積されていない場合には（Ｎｏ）、制御部７０は、前述した図５のステップＳ１３２の処理を行う。すなわち、制御部７０は、停止要因が入金口Ｅｍｐｔｙである場合と同じ処理を行う。
【００８７】
一方で、ステップＳ１５２で入金口１２に紙幣が集積されている場合には（Ｙｅｓ）、制御部７０は、出金口１８にリジェクト紙幣が集積されているか否かを判定する（ステップＳ１５４）。ステップＳ１５４で出金口１８にリジェクト紙幣が集積されている場合には（Ｙｅｓ）、制御部７０は、入金口シャッタ１３及び出金口シャッタ１９が開いている一時停止状態１を維持する（ステップＳ１５６）。この一時停止状態１で、職員は、入金口１２に紙幣を追加投入できる。また、職員は、入金口１２に集積された紙幣や、出金口１８に集積されたリジェクト紙幣を抜き取り可能である。
【００８８】
一時停止状態１で入金口１２の紙幣が抜き取られたことを検知すると（ステップＳ１５８：Ｙｅｓ）、制御部７０は、図５のステップＳ１３２の処理に戻って、停止要因が入金口Ｅｍｐｔｙである場合と同じ処理を行う。一方で、出金口１８のリジェクト紙幣が抜き取られたことを検知すると（ステップＳ１６０：Ｙｅｓ）、制御部７０は、出金口シャッタ１９を閉める（ステップＳ１６２）。そして、制御部７０は、入金口シャッタ１３が開いており、かつ出金口シャッタ１９が閉じている一時停止状態２を維持する（ステップＳ１６４）。ステップＳ１５４で出金口１８にリジェクト紙幣が集積されていない場合にも（Ｎｏ）、制御部７０は、一時停止状態２を維持する（ステップＳ１６４）。
【００８９】
一時停止状態２では入金口シャッタ１３のみが開いているので、職員は、入金口１２への紙幣の追加投入や、入金口１２の紙幣の抜き取りが可能である。そして、一時停止状態２で入金口１２の紙幣が抜き取られると（ステップＳ１６６：Ｙｅｓ）、制御部７０は、図５のステップＳ１３２の処理に戻って、停止要因が入金口Ｅｍｐｔｙである場合と同じ処理を行う。なお、一時停止状態２で、職員による計数処理の再開の要求を検知すると（ステップＳ１６８：Ｙｅｓ）、制御部７０は、図４のフローチャートに戻って入金口シャッタ１３を閉め（ステップＳ１０８）、再び計数処理を行う（ステップＳ１１０）。
【００９０】
（停止要因：一時保留部搬送不可）
ステップＳ１２２における計数処理の停止要因が一時保留部搬送不可である場合の処理について、図７のフローチャートを参照しながら説明する。
【００９１】
図７のフローチャートで、制御部７０は、まず、出金口１８にリジェクト紙幣が集積されているか否かを判定する（ステップＳ１７２）。ステップＳ１７２で出金口１８にリジェクト紙幣が集積されている場合には（Ｙｅｓ）、制御部７０は、入金口シャッタ１３及び出金口シャッタ１９が開いている一時停止状態３を維持する（ステップＳ１７４）。この一時停止状態３で、職員は、入金口１２に紙幣を追加投入できる。また、職員は、入金口１２に集積された紙幣や、出金口１８に集積されたリジェクト紙幣を抜き取り可能である。
【００９２】
一時停止状態３で出金口１８のリジェクト紙幣が抜き取られたことを検知すると（ステップＳ１７６：Ｙｅｓ）、制御部７０は、出金口シャッタ１９を閉める（ステップＳ１７８）。そして、制御部７０は、入金口シャッタ１３が開いており、かつ出金口シャッタ１９が閉じている集積処理待ち状態を維持する（ステップＳ１８０）。なお、集積処理待ち状態では入金口シャッタ１３のみが開いているので、職員は、入金口１２への紙幣の追加投入や、入金口１２の紙幣の抜き取りが可能である。
【００９３】
集積処理待ち状態で職員による集積要求を検知すると（ステップＳ１８２：Ｙｅｓ）、制御部７０は、一時保留部２２の紙幣を紙幣カセット３０Ａ〜３０Ｄに搬送する集積処理を実行する（ステップＳ１８４）。
【００９４】
（１−６．第１の実施形態の有効性）
上述した第１の実施形態によれば、入金口１２に投入された紙幣の計数処理の際に計数処理の停止事象が発生した場合には、図５〜図７に示すように、計数処理を一時停止し、入金口シャッタ１３を開ける。これにより、職員は、計数処理の停止中に入金口１２に紙幣を投入できる。別言すれば、職員は、入金口１２に投入された紙幣の計数処理が全て完了する前に入金口１２に紙幣を追加投入できるので、多量の紙幣を効率的に入金処理することができる。
【００９５】
また、第１の実施形態では、計数処理の停止事象が発生した場合には、入金口シャッタ１３と出金口シャッタ１９を開けることにより、職員は、計数処理の停止中に出金口１８に集積されたリジェクト紙幣を抜き取ることができる。この結果、計数処理の停止中にリジェクト紙幣を入金口１２に再投入することができるので、効率的に入金処理を行うことができる。
【００９６】
なお、上記では、計数処理の停止事象が発生した場合に、入金口シャッタ１３が自動で開くこととして説明したが、これに限定されない。例えば、職員は、計数処理の停止事象が発生した場合に、閉じた状態の入金口シャッタ１３を手動で開けて、入金口１２に紙幣を追加投入しても良い。
【００９７】
また、入金口１２には、紙幣の繰り出し前に紙幣を揃えるために押さえる押さえ板（不図示）が設けられても良い。押さえ板は、投入された紙幣の枚数に応じて移動可能な構成となっている。かかる構成において、職員が手動で入金口シャッタ１３を開ける場合には、押さえ板も職員が移動させて、紙幣を追加投入することとなる。
【００９８】
＜２．第２の実施形態＞
第１の実施形態では、入金処理中における計数処理が一時停止すると、入金口１２に紙幣を追加投入できる。そして、計数処理が一時停止する要因は、第１の実施形態では、計数処理停止要求、入金口Ｅｍｐｔｙ、リジェクト紙幣搬送不可、及び一時保留部搬送不可である。
【００９９】
第２の実施形態でも、計数処理が一時停止すると、入金口シャッタ１３が開くので、入金口１２に紙幣を追加投入できる。一方で、第２の実施形態における計数処理が一時停止する要因は、第１の実施形態と異なる。具体的には、第２の実施形態において計数処理が一時停止する要因は、前述した計数処理停止要求、入金口Ｅｍｐｔｙ、及び一時保留部搬送不可に加えて、リジェクト紙幣が出金口１８に搬送される場合（リジェクト紙幣の発生）である。
【０１００】
すなわち、制御部７０は、計数処理中にリジェクト紙幣の発生を検知すると、入金口１２からの紙幣の繰り出しを一時停止する。なお、この時点で搬送路を搬送されて紙幣は、認識処理部２０による鑑別結果に基づく搬送先に搬送され、その後に計数処理が一時停止する。このように、リジェクト紙幣が発生した場合に計数処理が一時停止するため、出金口１８がリジェクト紙幣で満杯になることが無い。この結果、出金口１８にリジェクト紙幣を搬送できない状態になることを防止できる。
【０１０１】
図８は、第２の実施形態に係る入金処理例を示すフローチャートである。図８のフローチャートは、図４のフローチャートとほぼ同様である。ここでは、図４と異なる部分のみ説明する。
【０１０２】
図８のステップＳ１２２で、制御部７０は、計数処理が一時停止した要因を判定する。すなわち、制御部７０は、停止要因が、計数処理停止要求、入金口Ｅｍｐｔｙ、リジェクト紙幣の発生、及び一時保留部搬送不可のうちのいずれに該当するかを判定する。
【０１０３】
そして、停止要因がリジェクト紙幣の発生である場合には、制御部７０は、前述した図６に示す処理を行う。図６のフローチャートにおいては、ステップＳ１５６の一時停止状態１の際に、職員は、出金口１８に搬送されたリジェクト紙幣を抜き取り、確認することができる。また、職員が抜き取ったリジェクト紙幣を入金口１２に再投入することで、計数処理を再度行うことができる。
【０１０４】
なお、一時停止要因が、計数処理停止要求、入金口Ｅｍｐｔｙ、一時保留部搬送不可である場合には、第１の実施形態と同様な処理が行われる（図５〜図７参照）ので、詳細な説明は省略する。
【０１０５】
上述した第２の実施形態によれば、制御部７０は、リジェクト紙幣が出金口１８に搬送されると、計数処理を一時停止する。これにより、職員は、計数処理の停止中に出金口１８に集積されたリジェクト紙幣を直ぐに抜き取ることができる。また、リジェクト紙幣を確認できるので、リジェクトの発生要因を迅速に把握可能となる。更に、抜き取ったリジェクト紙幣を入金口１２に再投入して、紙幣の鑑別を再度行うことができる。
【０１０６】
＜３．第３の実施形態＞
（３−１．紙幣処理装置の構成例）
第１の実施形態に係る紙幣処理装置１０は、一つの出金口１８（図１）を有する。これに対して、第３の実施形態に係る紙幣処理装置１０は、複数の出金口（具体的には、図９に示すように、第１出金口１４、及び第２出金口１５）を有する。
【０１０７】
図９は、第３の実施形態に係る紙幣処理装置１０の内部構成例を示す図である。第１出金口１４及び第２出金口１５は、排出する紙幣を集積する集積機能を有する。第１出金口１４及び第２出金口１５は、一例として、紙幣を１００枚（最大集積枚数）集積できる容量を有する。図９に示す例では、出金口が２つ設けられているが、これに限定されず、例えば出金口が３つ以上であってもよい。なお、図１０に示すように、第１出金口１４には開口部を開閉する第１出金口シャッタ（以下、第１シャッタと呼ぶ）１６が、第２出金口１５には開口部を開閉する第２出金口シャッタ（以下、第２シャッタと呼ぶ）１７が、それぞれ設けられている。
【０１０８】
図１０は、第１シャッタ１６及び第２シャッタ１７の構成例を示す模式図である。図１０（ａ）には、第１シャッタ１６及び第２シャッタ１７が閉じた状態が示され、図１０（ｂ）には、第１シャッタ１６が開いた状態が示されている。第１シャッタ１６及び第２シャッタ１７は、移動することにより第１出金口１４と第２出金口１５を閉じる。なお、第１出金口１４に紙幣が搬送されている際には、第１シャッタ１６は閉じており、第２出金口１５に紙幣が搬送されている際には、第２シャッタ１７は閉じている。なお、図１０では、平面状の第１シャッタ１６及び第２シャッタ１７をスライドさせて開閉させているが、曲面状のシャッタを回動させて開閉されても良い。
【０１０９】
搬送部２４は、制御部７０により制御され、紙幣を目的の搬送先（例えば、第１出金口１４又は第２出金口１５）に搬送する。例えば、搬送部２４は、搬送路に切替ブレード等の部材を有しており、切替ブレードを例えば回動させることで、搬送先として第１出金口１４又は第２出金口１５に設定できる。
【０１１０】
そして、第３の実施形態では、制御部７０は、計数処理の際にリジェクト紙幣が発生すると、リジェクト紙幣を第１出金口１４と第２出金口１５に交互に搬送する。具体的には、制御部７０は、リジェクトの発生を検出する度に、リジェクト紙幣の搬送先を第１出金口１４と第２出金口１５の間で切り替える。これにより、職員は、計数処理を停止させずに、第１出金口１４又は第２出金口１５のリジェクト紙幣を抜き取り、確認することができる。
【０１１１】
紙幣処理装置１０の上述した構成以外の構成は、第１の実施形態と同様であるので、詳細な説明は省略する。
【０１１２】
（３−２．入金処理例）
次に、図１１〜図１４を参照しながら、第３の実施形態に係る入金処理例について説明する。
【０１１３】
図１１〜図１４は、第３の実施形態に係る入金処理例を示すフローチャートである。図１１〜図１４に示す入金処理は、図４〜図７で説明した第１の実施形態と同様に、入金紙幣を一時保留部２２へ退避させた後に、一時保留部２２から紙幣カセット３０Ａ〜３０Ｄに集積する通常入金処理である。そこで、以下においては、図４〜図７に示すフローチャートと異なる部分を中心に説明する。
【０１１４】
図１１のステップＳ１０８で入金口１２に紙幣が投入されたことを検知すると（Ｙｅｓ）、制御部７０は、リジェクト紙幣の搬送先を、第１出金口１４と第２出金口１５のうちの一方の出金口（ここでは、第１出金口１４）に設定する（ステップＳ２０２）。そして、制御部７０は、入金口シャッタ１３を閉め（ステップＳ１１０）、図１５に示す計数処理を実行する（ステップＳ１１２）。
【０１１５】
（計数処理）
図１５は、第３の実施形態に係る入金紙幣の計数処理例を示すフローチャートである。
【０１１６】
図１５の計数処理は、リジェクト紙幣の搬送先が第１出金口１４で、第１シャッタ１６及び第２シャッタ１７が閉じているシャッタ開閉状態１で開始される（ステップＳ３０２）。シャッタ開閉状態１で、制御部７０は、入金口１２に投入された紙幣を繰り出して搬送する。その後、制御部７０が、リジェクト紙幣の発生を検知したものとする（ステップＳ３０４）。
【０１１７】
すると、制御部７０は、発生したリジェクト紙幣が第１出金口１４に集積された後、リジェクト紙幣の搬送先を第２出金口１５へ切り替える（ステップＳ３０６）。例えば、制御部７０は、切替ブレードを回動することにより、紙幣の搬送を停止させずに搬送先を切り替える。これにより、リジェクト紙幣が第２出金口１５へ搬送される。
【０１１８】
次に、制御部７０は、リジェクト紙幣が集積された第１出金口１４の第１シャッタ１６を開ける（ステップＳ３０８）。そして、制御部７０は、第１シャッタ１６が開いており、かつ第２シャッタ１７が閉じているシャッタ開閉状態２を維持する（ステップＳ３１０）。この際、職員は、第１出金口１４に集積されたリジェクト紙幣を抜き取ることができる。
【０１１９】
シャッタ開閉状態２で、リジェクト紙幣の搬送先は、第２出金口１５である。そして、制御部７０は、第１出金口１４からリジェクト紙幣が抜き取られる前に、リジェクト紙幣の発生を検知したか否かを判定する（ステップＳ３１２）。ステップＳ３１２でリジェクト紙幣の発生を検知すると（Ｙｅｓ）、制御部７０は、計数処理を停止する（ステップＳ３３４）。すなわち、制御部７０は、入金口１２からの紙幣の繰り出しを停止し、その時点で搬送中の紙幣を鑑別結果に基づく搬送先に搬送した後に、計数処理を停止する。
【０１２０】
一方で、リジェクト紙幣の発生前に（ステップＳ３１２：Ｎｏ）、第１出金口１４のリジェクト紙幣の抜き取りを検知すると（ステップＳ３１４）、制御部７０は、第１シャッタ１６を閉じる（ステップＳ３１６）。そして、制御部７０は、第１シャッタ１６及び第２シャッタ１７が閉じているシャッタ開閉状態３を維持する（ステップＳ３１８）。この際に、リジェクト紙幣の搬送先は第２出金口１５である。
【０１２１】
その後、制御部７０は、シャッタ開閉状態３でリジェクト紙幣の発生を検知すると（ステップＳ３２０）、リジェクト紙幣の搬送先を第１出金口１４へ切り替え（ステップＳ３２２）、第２シャッタ１７を開ける（ステップＳ３２４）。そして、制御部７０は、第１シャッタ１６が閉じており、かつ第２シャッタ１７が開いているシャッタ開閉状態４を維持する（ステップＳ３２６）。この際、職員は、第２出金口１５に集積されたリジェクト紙幣を抜き取ることができる。
【０１２２】
シャッタ開閉状態４で、リジェクト紙幣の搬送先は、第１出金口１４である。そして、制御部７０は、第１出金口１４からリジェクト紙幣が抜き取られる前に、リジェクト紙幣の発生を検知したか否かを判定する（ステップＳ３２８）。ステップＳ３２８でリジェクト紙幣の発生を検知すると（Ｙｅｓ）、制御部７０は、計数処理を停止する（ステップＳ３３４）。
【０１２３】
一方で、リジェクト紙幣の発生前に（ステップＳ３２８：Ｎｏ）、第２出金口１５のリジェクト紙幣の抜き取りを検知すると（ステップＳ３３０）、制御部７０は、第２シャッタ１７を閉じる（ステップＳ３３２）。そして、制御部７０は、第１シャッタ１６及び第２シャッタ１７が閉じているシャッタ開閉状態１を維持する（ステップＳ３０２）。
【０１２４】
なお、計数処理中に、前述した計数処理の停止要因である、計数処理停止要求、入金口Ｅｍｐｔｙ、及び一時保留部搬送不可のうちのいずれかが発生した場合には（ステップＳ３３６）、制御部７０は、計数処理を停止する（ステップＳ３３４）。
【０１２５】
このように、計数処理が停止するまで、図１５のフローチャートの処理が繰り返される。そして、計数処理が停止すると、図１１のフローチャートに戻って、入金処理が継続される。制御部７０は、計数処理が一時停止したことを検知すると（ステップＳ１１４：Ｙｅｓ）、入金口シャッタ１３と第１シャッタ１６と第２シャッタ１７の動作を並行して処理する。
【０１２６】
すなわち、制御部７０は、入金口シャッタ１３を開ける（ステップＳ２０４）。また、制御部７０は、第１出金口１４にリジェクト紙幣が集積されているか否かを判定し（ステップＳ２０６）、ステップＳ２０６で第１出金口１４にリジェクト紙幣が集積されていると（Ｙｅｓ）、第１シャッタ１６を開ける（ステップＳ２０８）。さらに、制御部７０は、第２出金口１５にリジェクト紙幣が集積されているか否かを判定し（ステップＳ２１０）、ステップＳ２１０で第２出金口１５にリジェクト紙幣が集積されていると（Ｙｅｓ）、第２シャッタ１７を開ける（ステップＳ２１２）。この際、制御部７０は、入金口シャッタ１３と、第１シャッタ１６（又は第２シャッタ１７）とを同時に開ける。
【０１２７】
次に、制御部７０は、計数処理が一時停止した要因を判定する（ステップＳ１２２）。すなわち、制御部７０は、停止要因が、計数処理停止要求、入金口Ｅｍｐｔｙ、リジェクト紙幣搬送不可、及び一時保留部搬送不可のうちのいずれに該当するかを判定する。そして、制御部７０は、第１の実施形態と同様に停止要因に応じた処理を行う。
【０１２８】
（停止要因：入金口Ｅｍｐｔｙ）
ステップＳ１２２における計数処理の停止要因が入金口Ｅｍｐｔｙである場合の処理について、図１２のフローチャートを参照しながら説明する。ここでは、図５に示すフローチャートと異なる部分を中心に説明する。
【０１２９】
図１２のステップＳ１３４の出金口紙幣抜取り待ち状態で、制御部７０は、第１出金口１４のリジェクト紙幣が抜き取られたのを検知すると（ステップＳ２２２：Ｙｅｓ）、第１シャッタ１６を閉める（ステップＳ２２４）。同様に、制御部７０は、第２出金口１５のリジェクト紙幣が抜き取られたのを検知すると（ステップＳ２２６：Ｙｅｓ）、第２シャッタ１７を閉める（ステップＳ２２８）。なお、制御部７０は、リジェクト紙幣が抜き取られたのを検知しないと（ステップＳ２２２：Ｎｏ、Ｓ２２６：Ｎｏ）、第１シャッタ１６、第２シャッタ１７を閉めない。
【０１３０】
そして、制御部７０は、第１出金口１４及び第２出金口１５にリジェクト紙幣が集積されていないことを検知するまで（ステップＳ２３０：Ｙｅｓ）、上述したステップＳ２２２〜Ｓ２２８の処理を繰り返す。その後の処理は、図５のフローチャートと同様であるので、詳細な説明は省略する。
【０１３１】
（停止要因：計数処理停止要求、又はリジェクト紙幣搬送不可）
ステップＳ１２２における計数処理の停止要因が、計数処理停止要求、又はリジェクト紙幣搬送不可である場合の処理について、図１３のフローチャートを参照しながら説明する。ここでは、図６に示すフローチャートと異なる部分を中心に説明する。
【０１３２】
図１３のステップＳ１５６の一時停止状態１で、制御部７０は、第１出金口１４のリジェクト紙幣が抜き取られたのを検知すると（ステップＳ２４２：Ｙｅｓ）、第１シャッタ１６を閉める（ステップＳ２４４）。同様に、制御部７０は、第２出金口１５のリジェクト紙幣が抜き取られたのを検知すると（ステップＳ２４６：Ｙｅｓ）、第２シャッタ１７を閉める（ステップＳ２４８）。
【０１３３】
そして、制御部７０は、第１出金口１４及び第２出金口１５にリジェクト紙幣が集積されていないことを検知するまで（ステップＳ２５０：Ｙｅｓ）、上述したステップＳ２４２〜Ｓ２４８の処理を繰り返す。その後の処理は、図６のフローチャートと同様であるので、詳細な説明は省略する。
【０１３４】
（停止要因：一時保留部搬送不可）
ステップＳ１２２における計数処理の停止要因が一時保留部搬送不可である場合の処理について、図１４のフローチャートを参照しながら説明する。ここでは、図７に示すフローチャートと異なる部分を中心に説明する。
【０１３５】
図１４のステップＳ１７４の一時停止状態３で、制御部７０は、第１出金口１４のリジェクト紙幣が抜き取られたのを検知すると（ステップＳ２６２：Ｙｅｓ）、第１シャッタ１６を閉める（ステップＳ２６４）。同様に、制御部７０は、第２出金口１５のリジェクト紙幣が抜き取られたのを検知すると（ステップＳ２６６：Ｙｅｓ）、第２シャッタ１７を閉める（ステップＳ２６８）。
【０１３６】
そして、制御部７０は、第１出金口１４及び第２出金口１５にリジェクト紙幣が集積されていないことを検知するまで（ステップＳ２７０：Ｙｅｓ）、上述したステップＳ２６２〜Ｓ２６８の処理を繰り返す。その後の処理は、図７のフローチャートと同様であるので、詳細な説明は省略する。
【０１３７】
上述した第３の実施形態によれば、図１５に示すように、計数処理の際にリジェクト紙幣が発生すると、リジェクト紙幣を第１出金口１４と第２出金口１５に交互に搬送する。これにより、職員は、計数処理を停止させずに、第１出金口１４又は第２出金口１５のリジェクト紙幣を抜き取り、確認することができる。
【０１３８】
＜４．第４の実施形態＞
（４−１．紙幣処理装置の構成例）
第４の実施形態に係る紙幣処理装置１０は、第１の実施形態と同様に、入金口１２及び出金口１８と、入金口シャッタ１３及び出金口シャッタ１９とを有する。
【０１３９】
また、第４の実施形態に係る紙幣処理装置１０は、第１〜第３の実施形態とは異なり、入金口シャッタ１３をロック可能なロック機構８４（図１６参照）を有する。これにより、職員は、入金口シャッタ１３のロック中は、手動で入金口シャッタ１３を開けることができず、入金口シャッタ１３のロックが解除されている時は、手動で入金口シャッタ１３を開けることができる。なお、第１〜第３の実施形態にロック機構８４を設けても良い。
【０１４０】
図１６は、第４の実施形態に係る紙幣処理装置１０の機能構成例を示すブロック図である。図１６に示すように、第４の実施形態では、制御部７０は、搬送部２４による紙幣の搬送と、入金口シャッタ１３及び出金口シャッタ１９の開閉動作に加えて、ロック機構８４の動作を制御する。
【０１４１】
制御部７０は、計数処理の際には、ロック機構８４により入金口シャッタ１３をロックする。一方で、制御部７０は、入金口１２の紙幣を紙幣カセット３０Ａ〜３０Ｄに搬送する際（具体的には、一時保留部２２の紙幣の集積処理の際）に、閉状態にある入金口シャッタ１３のロック状態を解除する。これにより、職員は、集積処理の際に、ロック状態が解除された入金口シャッタ１３を手動で開けて、入金口１２に紙幣を追加投入できる。また、入金口シャッタ１３が閉じた状態にあるので、紙幣処理装置１０の操作音等が外部に漏れることを防止できる。
【０１４２】
なお、上記では集積処理の際に入金口シャッタ１３のロック状態が解除されることとしたが、例えば、制御部７０は、入金口１２の紙幣を紙幣カセット３０Ａ〜３０Ｄに搬送するダイレクト入金処理の際に、閉状態にある入金口シャッタ１３に対するロック機構によるロック状態を解除しても良い。
【０１４３】
（４−２．入金処理例）
次に、図１７〜図２０を参照しながら、第４の実施形態に係る入金処理例について説明する。
【０１４４】
図１７〜図２０は、第４の実施形態に係る入金処理例を示すフローチャートである。図１７〜図２０に示す入金処理は、図４〜図７で説明した第１の実施形態と同様に、入金紙幣を一時保留部２２へ退避させた後に、一時保留部２２から紙幣カセット３０Ａ〜３０Ｄに集積する通常入金処理である。そこで、以下においては、図４〜図７に示すフローチャートと異なる部分を中心に説明する。
【０１４５】
図１７のステップＳ１０２で入金処理の指示を受け付けると、制御部７０は、入金口シャッタ１３のロック状態を解除し（ステップＳ４０２）、入金口シャッタ１３を開ける（ステップＳ１０４）。その後、入金口１２に紙幣が投入されたことを検知すると（ステップＳ１０８：Ｙｅｓ）、制御部７０は、入金口シャッタ１３を閉じ（ステップＳ１１０）、入金口シャッタ１３をロックする（ステップＳ４０４）。次に、制御部７０は、入金紙幣の計数処理を行う（ステップＳ１１２）。
【０１４６】
第４の実施形態でも、第１の実施形態と同様に、制御部７０は、計数処理停止要求、入金口Ｅｍｐｔｙ、リジェクト紙幣搬送不可、及び一時保留部搬送不可のうちの何れかの要因により計数処理が一時停止したことを検知すると（ステップＳ１１４：Ｙｅｓ）、入金口シャッタ１３と出金口シャッタ１９の動作を並行して処理する。
【０１４７】
すなわち、制御部７０は、入金口シャッタ１３のロック状態を解除し（ステップＳ４０６）、入金口シャッタ１３を開ける（ステップＳ１１６）。また、制御部７０は、出金口１８にリジェクト紙幣が集積されているか否かを判定し（ステップＳ１１８）、ステップＳ１１８で出金口１８にリジェクト紙幣が集積されていると（Ｙｅｓ）、出金口シャッタ１９を開ける（ステップＳ１２０）。この際、制御部７０は、入金口シャッタ１３と出金口シャッタ１９を同時に開ける。
【０１４８】
次に、制御部７０は、計数処理が一時停止した要因を判定し（ステップＳ１２２）、以下に説明するように、停止要因に応じた処理を行う。
【０１４９】
（停止要因：入金口Ｅｍｐｔｙ）
ステップＳ１２２における計数処理の停止要因が入金口Ｅｍｐｔｙである場合の処理について、図１８のフローチャートを参照しながら説明する。ここでは、図５に示すフローチャートと異なる部分を中心に説明する。
【０１５０】
図１８のステップＳ１４０の紙幣投入待ち状態で、入金口１２に紙幣が投入されたことを検知すると（ステップＳ１４２：Ｙｅｓ）、制御部７０は、図１７のフローチャートに戻って入金口シャッタ１３を閉める（ステップＳ１１０）。一方で、入金口１２に紙幣が投入されずに（ステップＳ１４２：Ｎｏ）集積処理の要求があった場合には（ステップＳ４２２：Ｙｅｓ）、制御部７０は、後述する図１９のフローチャートに進み入金口シャッタ１３を閉めて（ステップＳ４４２）、集積処理を実行する（ステップＳ１８４）。
【０１５１】
ここで、集積処理中は、入金口シャッタ１３は閉じているが、入金口シャッタ１３のロック状態は解除されている。このため、職員は、集積処理中に、手動で入金口シャッタ１３を開けたり閉じたりできるので、入金口１２に紙幣を追加投入できる。
【０１５２】
（停止要因：計数処理停止要求、又はリジェクト紙幣搬送不可）
ステップＳ１２２における計数処理の停止要因が、計数処理停止要求、又はリジェクト紙幣搬送不可である場合には、前述した図６のフローチャートに示す処理が実行される。このため、詳細な説明は省略する。
【０１５３】
（停止要因：一時保留部搬送不可）
ステップＳ１２２における計数処理の停止要因が一時保留部搬送不可である場合の処理について、図１９及び図２０のフローチャートを参照しながら説明する。ここでは、図７に示すフローチャートと異なる部分を中心に説明する。
【０１５４】
図１９のステップＳ１８０の集積処理待ち状態で、制御部７０は、集積処理の要求を検知すると（ステップＳ１８２：Ｙｅｓ）、入金口シャッタ１３を閉じ（ステップＳ４４２）、集積処理を実行する（ステップＳ１８４）。前述したように集積処理中は入金口シャッタ１３のロックは解除されているので、職員は、入金口１２に紙幣を追加投入できる。その後、集積処理が終了すると（ステップＳ４４４：Ｙｅｓ）、制御部７０は、図２０に示すように、入金口１２に紙幣が集積されているか否か、及び入金口シャッタ１３の開閉状態を判定する（ステップＳ４６２、Ｓ４６４、Ｓ４６６）。
【０１５５】
そして、ステップＳ４６２で入金口１２に紙幣が集積され（Ｙｅｓ）、かつステップＳ４６４で入金口シャッタ１３が開いている場合には（Ｙｅｓ）、制御部７０は、図１７のフローチャートに戻って、入金口シャッタ１３を閉じ（Ｓ１１０）、入金口シャッタ１３をロックする（ステップＳ４０４）。一方で、ステップＳ４６４で入金口シャッタ１３が閉じている場合には（Ｎｏ）、制御部７０は、入金口シャッタ１３をロックする（ステップＳ４０４）。
【０１５６】
一方で、ステップＳ４６２で入金口１２に紙幣が集積されておらず（Ｎｏ）、かつステップＳ４６６で入金口シャッタ１３が閉じている場合には（Ｙｅｓ）、制御部７０は、図１７のフローチャートに戻って、入金口シャッタ１３を開け（ステップＳ１０４）、紙幣投入待ち状態を維持する（ステップＳ１０６）。一方で、ステップＳ４６６で入金口シャッタ１３が開いている場合には（Ｎｏ）、制御部７０は、紙幣投入待ち状態を維持する（ステップＳ１０６）。
【０１５７】
上述した第４の実施形態によれば、入金口１２の紙幣を紙幣カセット３０Ａ〜３０Ｄに搬送する際（具体的には、一時保留部２２の紙幣の集積処理の際）に、閉状態にある入金口シャッタ１３のロック状態を解除する。これにより、紙幣処理装置１０の操作音等が外部に漏れることを防止しながら、職員は集積処理の際に入金口１２に紙幣を追加投入できる。
【０１５８】
なお、紙幣カセット３０Ａ〜３０Ｄへの集積処理が完了した後に、入金口１２に投入された紙幣を繰り出す処理は、通常、職員が入金処理の開始を選択することで実行される。しかし、これに限定されず、集積処理が完了した際に入金口１２に紙幣が集積されていれば、自動で、入金口１２の紙幣を繰り出しても良い。また、職員が、集積処理が完了した後に自動で紙幣を繰り出す動作の実行の有無を、予め選択できても良い。例えば、職員が、選択可能な予約ボタンを事前に押下した場合に、集積処理が完了した後に自動で紙幣を繰り出す動作の実行することとしても良い。
【０１５９】
＜５．まとめ＞
上述した実施形態に係る紙幣処理装置１０は、紙幣の搬送中に搬送を停止させる停止事象（例えば、計数処理の停止要因）が発生した場合には、入金口シャッタ１３を開け、又は入金口シャッタ１３を手動で開くことができる閉状態にする。
【０１６０】
これにより、停止事象が発生した際に、入金口シャッタ１３が開いており、又は手動で入金口シャッタを開けることができるので、紙幣の搬送の停止中に入金口１２に紙幣を投入できる。この結果、入金口１２に投入された紙幣が全て処理される前に入金口１２に紙幣を追加投入できるので、多量の紙幣を効率的に入金処理することができる。
【０１６１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１６２】
また、上述した紙幣処理装置１０の処理における各ステップは、必ずしもフローチャートとして記載された順序に沿って時系列に処理する必要はない。例えば、紙幣処理装置１０の処理における各ステップは、フローチャートとして記載した順序と異なる順序で処理されても、並列的に処理されてもよい。
【０１６３】
また、紙幣処理装置１０に内蔵されるＣＰＵ、ＲＯＭおよびＲＡＭなどのハードウェアを、上述した紙幣処理装置１０の各構成と同等の機能を発揮させるためのコンピュータプログラムも作成可能である。
【０１６４】
また、上述した実施形態では、紙幣処理装置１０を職員操作型端末に適用して説明したが、これに限定されない。例えば、顧客操作型端末であって、紙幣を還流させる（リサイクルさせる）タイプのＡＴＭ（Ａｕｔｏｍａｔｅｄ  ｔｅｌｌｅｒ  ｍａｃｈｉｎｅ）に代表される自動取引装置の現金処理部に適用してもよい。自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【符号の説明】
【０１６５】
１０    紙幣処理装置
１２    入金口
１３    入金口シャッタ
１４    第１出金口
１５    第２出金口
１６    第１シャッタ
１７    第２シャッタ
１８    出金口
１９    出金口シャッタ
２０    紙幣認識部
２２    一時保留部
２４    搬送部
３０Ａ〜３０Ｄ    紙幣カセット
７０    制御部
８２    検知部
８４    ロック機構
【図１】
2014035674.tif 000003
【図２】
2014035674.tif 000004
【図３】
2014035674.tif 000005
【図４】
2014035674.tif 000006
【図５】
2014035674.tif 000007
【図６】
2014035674.tif 000008
【図７】
2014035674.tif 000009
【図８】
2014035674.tif 000010
【図９】
2014035674.tif 000011
【図１０】
2014035674.tif 000012
【図１１】
2014035674.tif 000013
【図１２】
2014035674.tif 000014
【図１３】
2014035674.tif 000015
【図１４】
2014035674.tif 000016
【図１５】
2014035674.tif 000017
【図１６】
2014035674.tif 000018
【図１７】
2014035674.tif 000019
【図１８】
2014035674.tif 000020
【図１９】
2014035674.tif 000021
【図２０】
2014035674.tif 000022